(57)【要約】      （修正有）【課題】減圧弁を大型化せず、また弁流入口と弁流出口とが直交する構成の減圧弁にも適用可能な、ピストン傾斜防止機構を備える減圧弁を提供する。【解決手段】１次側通路４と２次側通路５と、その境界部の流路面積を可変調整する止水機能を有する減圧弁１であって、シリンダ３１に摺動可能に挿通されシリンダの中心軸線の延在方向に往復動するピストンヘッド３２aと、その一端からピストンヘッドと同軸に延びてシリンダの一端から外へ突出する第１ピストンロッド３２bとピスンヘッドの他端から同ヘッドと同軸に延びてシリンダの他端からシリンダ外へ突出する第２ピストンロッド３２cとを有し、シリンダの一端の筒状弁座と、第１ピストンロッドのシリンダ外へ突出して固定された弁体３３と、シリンダと同軸に配設され第２ピストンロッドのピストンヘッドから離隔する端部に摺接して第２ピストンロッドをシリンダの中心軸線方向に案内する機構とを備える。【選択図】図１
2015141558.tif 000002
【特許請求の範囲】
【請求項１】
１次側通路と２次側通路と、１次側通路と２次側通路との境界部の流路面積を可変調整する止水機能を有する弁機構とを備える減圧弁であって、弁機構は、ボディの一部が形成するシリンダと、シリンダに摺動可能に挿通されシリンダに案内されてシリンダの中心軸線の延在方向に往復動するピストンヘッドとピスンヘッドの一端からピストンヘッドと同軸に延びてシリンダの一端からシリンダ外へ突出する第１ピストンロッドとピスンヘッドの他端からピストンヘッドと同軸に延びてシリンダの他端からシリンダ外へ突出する第２ピストンロッドとを有するピストンと、シリンダの前記一端が形成する筒状の弁座と、第１ピストンロッドのシリンダ外へ突出した部位に固定されて弁座と対峙する弁体と、シリンダ周壁のピストンロッドに対峙する部位に形成された開口と、第２ピストンロッドに中心部が固定されたダイヤフラムと、ボディの一部により形成され、ダイヤフラムに対峙しダイヤフラムとシリンダとピストンヘッドと協働して感圧室を形成するダイヤフラムケースと、一端が第２ピストンロッドに係合してピストンとダイヤフラムとを感圧室側へ押圧するコイルバネと、コイルバネを収容すると共にダイヤフラムケースと協働してダイヤフラムの周縁部を挟持するバネケースと、ピストンヘッドの周溝に収容されてピストンヘッドとシリンダ内周面との摺接部をシールするシール部材とを有し、ボディは、シリンダ周壁の前記開口に連通する弁流入口と、弁座と弁体との間に形成される環状隙間に連通する弁流出口とを有し、弁流入口と前記環状隙間との間の流路が１次側通路を形成し、前記環状隙間と弁流出口との間の流路が２次側通路を形成し、感圧室は２次側通路に連通し、更にシリンダと同軸に配設され第２ピストンロッドのピストンヘッドから離隔する端部に摺接して第２ピストンロッドをシリンダの中心軸線の延在方向に案内する案内機構を備えることを特徴とする減圧弁。
【請求項２】
第２ピストンロッドはコイルバネを収容する筒部を有しており、バネケースはシリンダと同軸に延在する筒部を有しており、バネケースの筒部が第２ピストンロッドの筒部のピストンヘッドから離隔する端部に摺接して当該端部をシリンダの中心軸線の延在方向に案内することを特徴とする請求項１に記載の減圧弁。
【請求項３】
第２ピストンロッドはコイルバネを収容する筒部を有しており、バネケースはシリンダの中心軸線と平行に延在する３本以上の案内リブを有しており、バネケースの前記案内リブが第２ピストンロッドの筒部のピストンヘッドから離隔する端部に摺接して当該端部をシリンダの中心軸線の延在方向に案内することを特徴とする請求項１に記載の減圧弁。
【請求項４】
バネケースのダイヤフラムから離隔する端部に螺合すると共にコイルバネの他端に係合する調整ネジを備え、調整ネジに形成されたシリンダと同軸に延在する貫通穴が第２ピストンロッドのピストンヘッドから離隔する端部に相対摺動可能に外嵌合して当該端部をシリンダの中心軸線の延在方向に案内することを特徴とする請求項１に記載の減圧弁。
【請求項５】
バネケースのダイヤフラムから離隔する端部に螺合すると共にコイルバネの他端に係合する調整ネジを備え、第２ピストンロッドはコイルバネの内側で延在する筒部を有しており、調整ネジに形成されたシリンダと同軸に延在する凸部が第２ピストンロッドの筒部のピストンヘッドから離隔する端部に相対摺動可能に内嵌合して当該端部をシリンダの中心軸線の延在方向に案内することを特徴とする請求項１に記載の減圧弁。
【発明の詳細な説明】
【技術分野】
【０００１】
本発明は、減圧弁に関するものである。
【背景技術】
【０００２】
１次側通路と２次側通路と、１次側通路と２次側通路との境界部の流路面積を可変調整する止水機能を有する弁機構とを備える減圧弁であって、弁機構は、ボディの一部が形成するシリンダと、シリンダに摺動可能に挿通されシリンダに案内されてシリンダの中心軸線の延在方向に往復動するピストンヘッドとピスンヘッドの一端からピストンヘッドと同軸に延びてシリンダの一端からシリンダ外へ突出する第１ピストンロッドとピスンヘッドの他端からピストンヘッドと同軸に延びてシリンダの他端からシリンダ外へ突出する第２ピストンロッドとを有するピストンと、シリンダの前記一端が形成する筒状の弁座と、第１ピストンロッドのシリンダ外へ突出した部位に固定されて弁座と対峙する弁体と、シリンダ周壁のピストンロッドに対峙する部位に形成された開口と、第２ピストンロッドに中心部が固定されたダイヤフラムと、ボディの一部により形成され、ダイヤフラムに対峙しダイヤフラムとシリンダとピストンヘッドと協働して感圧室を形成するダイヤフラムケースと、第２ピストンロッドに係合してピストンとダイヤフラムとを感圧室側へ押圧するコイルバネと、コイルバネを収容すると共にダイヤフラムケースと協働してダイヤフラムの周縁部を挟持するバネケースと、ピストンヘッドの周溝に収容されてピストンヘッドとシリンダ内周面との摺接部をシールするシール部材とを有し、ボディは、シリンダ周壁の前記開口に連通する弁流入口と、弁座と弁体との間に形成される環状隙間に連通する弁流出口とを有し、弁流入口と前記環状隙間との間の流路が１次側通路を形成し、前記環状隙間と弁流出口との間の流路が２次側通路を形成し、感圧室は２次側通路に連通し、第１ピストンロッドのピストンヘッドから離隔する端部が、２次側通路を形成するボディの弁体に対峙する部位にシリンダと同軸に形成され弁体から離隔する方向へ突出する筒状突部に摺動可能に内嵌合し、筒状突部によってシリンダの中心軸線の延在方向に案内されていることを特徴とする減圧弁が特許文献１に開示されている。
１次側通路と２次側通路と、１次側通路と２次側通路との境界部の流路面積を可変調整する止水機能を有する弁機構とを備える減圧弁であって、弁機構は、ボディの一部が形成するシリンダと、シリンダに摺動可能に挿通されシリンダに案内されてシリンダの中心軸線の延在方向に往復動するピストンヘッドとピスンヘッドの一端からピストンヘッドと同軸に延びてシリンダの一端からシリンダ外へ突出する第１ピストンロッドとピスンヘッドの他端からピストンヘッドと同軸に延びてシリンダの他端からシリンダ外へ突出する第２ピストンロッドとを有するピストンと、シリンダの前記一端が形成する筒状の弁座と、第１ピストンロッドのシリンダ外へ突出した部位に固定されて弁座と対峙する弁体と、シリンダ周壁のピストンロッドに対峙する部位に形成された開口と、第２ピストンロッドに中心部が固定されたダイヤフラムと、ボディの一部により形成され、ダイヤフラムに対峙しダイヤフラムとシリンダとピストンヘッドと協働して感圧室を形成するダイヤフラムケースと、第２ピストンロッドに係合してピストンとダイヤフラムとを感圧室側へ押圧するコイルバネと、コイルバネを収容すると共にダイヤフラムケースと協働してダイヤフラムの周縁部を挟持するバネケースと、ピストンヘッドの周溝に収容されてピストンヘッドとシリンダ内周面との摺接部をシールするシール部材とを有し、ボディは、シリンダ周壁の前記開口に連通する弁流入口と、弁座と弁体との間に形成される環状隙間に連通する弁流出口とを有し、弁流入口と前記環状隙間との間の流路が１次側通路を形成し、前記環状隙間と弁流出口との間の流路が２次側通路を形成し、感圧室は２次側通路に連通のする減圧弁においては、コイルバネ両端の線材の巻初めと巻き終わりの部位に段差が存在するために、ピストンの中心軸線に直交する軸線回りにピストンを回動させるモーメントがコイルバネからピストンに印加され、ピストンの中心軸線がシリンダの中心軸線に対して傾斜して弁体が弁座に片当たりし、止水機能が損なわれる可能性があるが、特許文献１の減圧弁においては、ピストンヘッドがシリンダによってシリンダの中心軸線の延在方向に案内されると共に第１ピストンロッドの弁体から離隔する端部がボディに形成された筒状突部によってシリンダの中心軸線の延在方向に案内されることにより、ピストンの中心軸線がシリンダの中心軸線に対して傾斜して弁体が弁座に片当たりする事態の発生が防止され、ひいては弁機構の止水機能がが損なわれる事態の発生が防止される。
【先行技術文献】
【特許文献】
【０００３】
【特許文献１】特許第４１５６３２６号公報
【発明の概要】
【発明が解決しようとする課題】
【０００４】
特許文献１に記載されたピストン傾斜防止機構には、２次側通路を形成するボディの弁体に対峙する部位に弁体から離隔する方向へ突出する筒状突部を形成するので、減圧弁の縦寸法が増加し、減圧弁が大型化するという問題があり、また、弁流入口と弁流出口とが直交する構成の減圧弁には適用できないという問題がある。
本発明は、１次側通路と２次側通路と、１次側通路と２次側通路との境界部の流路面積を可変調整する止水機能を有する弁機構とを備える減圧弁であって、弁機構は、ボディの一部が形成するシリンダと、シリンダに摺動可能に挿通されシリンダに案内されてシリンダの中心軸線の延在方向に往復動するピストンヘッドとピスンヘッドの一端からピストンヘッドと同軸に延びてシリンダの一端からシリンダ外へ突出する第１ピストンロッドとピスンヘッドの他端からピストンヘッドと同軸に延びてシリンダの他端からシリンダ外へ突出する第２ピストンロッドとを有するピストンと、シリンダの前記一端が形成する筒状の弁座と、第１ピストンロッドのシリンダ外へ突出した部位に固定されて弁座と対峙する弁体と、シリンダ周壁のピストンロッドに対峙する部位に形成された開口と、第２ピストンロッドに中心部が固定されたダイヤフラムと、ボディの一部により形成され、ダイヤフラムに対峙しダイヤフラムとシリンダとピストンヘッドと協働して感圧室を形成するダイヤフラムケースと、第２ピストンロッドに係合してピストンとダイヤフラムとを感圧室側へ押圧するコイルバネと、コイルバネを収容すると共にダイヤフラムケースと協働してダイヤフラムの周縁部を挟持するバネケースと、ピストンヘッドの周溝に収容されてピストンヘッドとシリンダ内周面との摺接部をシールするシール部材とを有し、ボディは、シリンダ周壁の前記開口に連通する弁流入口と、弁座と弁体との間に形成される環状隙間に連通する弁流出口とを有し、弁流入口と前記環状隙間との間の流路が１次側通路を形成し、前記環状隙間と弁流出口との間の流路が２次側通路を形成し、感圧室は２次側通路に連通する減圧弁であって、減圧弁の大型化を招かず、また弁流入口と弁流出口とが直交する構成の減圧弁にも適用可能な、ピストン傾斜防止機構を備える減圧弁を提供することを目的とする。
【課題を解決するための手段】
【０００５】
上記課題を解決するために、本発明においては、１次側通路と２次側通路と、１次側通路と２次側通路との境界部の流路面積を可変調整する止水機能を有する弁機構とを備える減圧弁であって、弁機構は、ボディの一部が形成するシリンダと、シリンダに摺動可能に挿通されシリンダに案内されてシリンダの中心軸線の延在方向に往復動するピストンヘッドとピスンヘッドの一端からピストンヘッドと同軸に延びてシリンダの一端からシリンダ外へ突出する第１ピストンロッドとピスンヘッドの他端からピストンヘッドと同軸に延びてシリンダの他端からシリンダ外へ突出する第２ピストンロッドとを有するピストンと、シリンダの前記一端が形成する筒状の弁座と、第１ピストンロッドのシリンダ外へ突出した部位に固定されて弁座と対峙する弁体と、シリンダ周壁のピストンロッドに対峙する部位に形成された開口と、第２ピストンロッドに中心部が固定されたダイヤフラムと、ボディの一部により形成され、ダイヤフラムに対峙しダイヤフラムとシリンダとピストンヘッドと協働して感圧室を形成するダイヤフラムケースと、一端が第２ピストンロッドに係合してピストンとダイヤフラムとを感圧室側へ押圧するコイルバネと、コイルバネを収容すると共にダイヤフラムケースと協働してダイヤフラムの周縁部を挟持するバネケースと、ピストンヘッドの周溝に収容されてピストンヘッドとシリンダ内周面との摺接部をシールするシール部材とを有し、ボディは、シリンダ周壁の前記開口に連通する弁流入口と、弁座と弁体との間に形成される環状隙間に連通する弁流出口とを有し、弁流入口と前記環状隙間との間の流路が１次側通路を形成し、前記環状隙間と弁流出口との間の流路が２次側通路を形成し、感圧室は２次側通路に連通し、更にシリンダと同軸に配設され第２ピストンロッドのピストンヘッドから離隔する端部に摺接して第２ピストンロッドをシリンダの中心軸線の延在方向に案内する案内機構を備えることを特徴とする減圧弁を提供する。
ピストンヘッドがシリンダによってシリンダの中心軸線の延在方向に案内されると共に第２ピストンロッドのピストンヘッドから離隔する端部が案内機構によってシリンダの中心軸線の延在方向に案内されることにより、ピストンの中心軸線がシリンダの中心軸線に対して傾斜して弁体が弁座に片当たりする事態の発生が防止され、ひいては弁機構の止水機能がが損なわれる事態の発生が防止される。案内機構はバネケース内に設ければ良く、ボディにピストンロッドの端部を案内する筒状突起を設ける必要がないので、案内機構の配設により減圧弁は大型化せず、案内機構の配設は弁流入口と弁流出口との相対位置関係による制約を受けない。
【０００６】
本発明の好ましい態様においては、第２ピストンロッドはコイルバネを収容する筒部を有しており、バネケースはシリンダと同軸に延在する筒部を有しており、バネケースの筒部が第２ピストンロッドの筒部のピストンヘッドから離隔する端部に摺接して当該端部をシリンダの中心軸線の延在方向に案内する。
本発明の好ましい態様においては、第２ピストンロッドはコイルバネを収容する筒部を有しており、バネケースはシリンダの中心軸線と平行に延在する３本以上の案内リブを有しており、バネケースの前記案内リブが第２ピストンロッドの筒部のピストンヘッドから離隔する端部に摺接して当該端部をシリンダの中心軸線の延在方向に案内する。
本発明の好ましい態様においては、減圧弁はバネケースのダイヤフラムから離隔する端部に螺合すると共にコイルバネの他端に係合する調整ネジを備え、調整ネジに形成されたシリンダと同軸に延在する貫通穴が第２ピストンロッドのピストンヘッドから離隔する端部に相対摺動可能に外嵌合して当該端部をシリンダの中心軸線の延在方向に案内する。
本発明の好ましい態様においては、減圧弁はバネケースのダイヤフラムから離隔する端部に螺合すると共にコイルバネの他端に係合する調整ネジを備え、第２ピストンロッドはコイルバネの内側で延在する筒部を有しており、調整ネジに形成されたシリンダと同軸に延在する凸部が第２ピストンロッドの筒部のピストンヘッドから離隔する端部に相対摺動可能に内嵌合して当該端部をシリンダの中心軸線の延在方向に案内する。
上記構成により、第２ピストンロッドのピストンヘッドから離隔する端部をシリンダの中心軸線の延在方向に案内することができる。
【図面の簡単な説明】
【０００７】
【図１】本発明の実施例に係る減圧弁の縦断面図である。図の左半分は開弁状態を示し、右半分は閉弁状態を示す。
【図２】本発明の他の実施例に係る減圧弁の構造図である。（ａ）は縦断面図であり、（ｂ）は（ａ）のＡ−Ａ断面図である。
【図３】本発明の他の実施例に係る減圧弁の構造図である。（ａ）は縦断面図であり、（ｂ）は（ａ）のＡ−Ａ断面図である。
【図４】本発明の他の実施例に係る減圧弁の縦断面図である。
【図５】本発明の他の実施例に係る減圧弁の縦断面図である。
【発明を実施するための形態】
【０００８】
本発明の実施例に係る減圧弁を説明する。
図１に示すように、減圧弁１は、樹脂で形成されたボディ２と弁機構と３を備えている。弁機構３は、ボディ２の一部が形成するシリンダ３１と、シリンダ３１に摺動可能に挿通されシリンダ３１に案内されてシリンダ３１の中心軸線Ｘの延在方向に往復動するピストンヘッド３２ａと、中心軸線Ｘと同軸に延在する中心軸線Ｙをピストンヘッド３２ａと共有しピスンヘッド３２ａの一端から延びてシリンダ３１の一端からシリンダ３１外へ突出する第１ピストンロッド３２ｂと中心軸線Ｙをピストンヘッド３２ａと共有しピスンヘッド３２ａの他端から延びてシリンダ３１の他端からシリンダ３１外へ突出する第２ピストンロッド３２ｃとを有するピストン３２と、シリンダ３１の前記一端が形成する筒状の弁座３１ａと、第１ピストンロッド３２ｂのシリンダ３１外へ突出した部位に固定されて弁座３１ａと対峙する弁体３３と、シリンダ３１周壁のピストンロッド３２ｂに対峙する部位に形成された開口３１ｂと、第２ピストンロッド３２ｃのピストンヘッド近傍部に中心部が固定されたダイヤフラム３４と、ボディ２の一部により形成され、ダイヤフラム３４に対峙しダイヤフラム３４とシリンダ３１とピストンヘッド３２ａと協働して感圧室３５を形成するダイヤフラムケース３６と、一端が第２ピストンロッド３２ｃに係合してピストン３２とダイヤフラム３４とを感圧室３５側へ押圧するコイルバネ３７と、コイルバネ３７を収容すると共にダイヤフラムケース３６と協働してダイヤフラム３４の周縁部を挟持するバネケース３８と、ピストンヘッド３２ａの周溝に収容されてピストンヘッド３２ａとシリンダ３１内周面との摺接部をシールするＯリング３９とを備えている。
ピストンヘッド３２ａの受圧面積は、弁体３３の受圧面積よりも大きな値に設定されている。
ボディ２は、シリンダ３１の周壁の開口３１ｂとシリンダ３１の内部空間とを介して弁座３１ａと弁体３３との間に形成される環状隙間Ｓに連通する弁流入口２ａと、弁座３１ａと弁体３３との間に形成される環状隙間Ｓに連通する弁流出口２ｂとを有している。弁流入口２ａと弁流出口２ｂとは同一直線上に配設されている。
弁流入口２ａと前記環状隙間Ｓとの間の流路が１次側通路４を形成し、前記環状隙間Ｓと弁流出口２ｂとの間の流路が２次側通路５を形成し、感圧室３５は２次側通路５に連通している。
第２ピストンロッド３２ｃはコイルバネ３７を収容する筒部３２ｃ１を有しており、筒部３２ｃ１のピストンヘッド３２ａから離隔する端部３２ｃ２は僅かに漏斗状に拡径している。バネケース３８は、シリンダ３１と同軸に延在する筒部３８ａを有している。筒部３８ａの内周側面が第２ピストンロッドの筒部のピストンヘッドから離隔する端部３２ｃ２の外周側面に摺接して端部３２ｃ２をシリンダ３１の中心軸線Ｘの延在方向に案内している。
減圧弁１の弁流入口２ａは、図示しない配管を介して、図示しない給湯器の最上流部に配設された図示しない逆止弁に接続し、減圧弁１の弁流出口２ｂは、図示しない配管を介して前記給湯器の図示しない貯湯タンクに接続している。
【０００９】
減圧弁１の作動を説明する。
給湯器の図示しない吐水装置が閉鎖され、給湯機の配管内の水と湯とが停止している時は、図１の右半分に示すように、減圧弁１は閉弁している。
給湯器の吐水装置が開放されると、減圧弁１の２次圧（２次側通路５内の水圧）が低下する。この結果、ピストンヘッド３２ａと弁体３３とに印加される水圧による付勢力の和は閉弁方向に働くが、ダイヤフラム３４に印加される水圧による閉弁方向の付勢力の減少量が、ピストンヘッド３２ａと弁体３３とに印加される水圧による閉弁方向の付勢力よりも大きくなり、弁体３３が弁座３１ａから離れ、減圧弁１は開弁する。弁流入口２ａから減圧弁１に流入した水道水が１次側通路４と開口３１ｂとを通ってリンダ３１内に流入し、次いで弁体３３と弁座３１ａとの間の隙間Ｓを通って２次側通路５へ流入し、弁流出口２ｂから減圧弁１外へ流出する。弁体３３と弁座３１ａとの間に形成された環状隙間Ｓを水道水が流れる際に圧力損失が発生し、水道水は減圧される。
２次側通路５と感圧室３５とは連通しているので、２次側通路５内の水道水圧である減圧弁１の２次圧がダイヤフラム３４に印加される。１次側通路４内の水道水圧である減圧弁１の１次圧はピストンヘッド３２ａの周溝に収容されたＯリング３９がピストンヘッド３２ａとシリンダ３１の摺接部をシールすることにより、感圧室３５には伝達されず、ダイヤフラム３４には印加されない。
何らかの原因で２次圧が上昇するとコイルバネ３７の付勢力に抗してダイヤフラム３４が弁座３１ａから遠ざかる方向へ弾性変形し、第２ピストンロッド３２ｃを介してダイヤフラム３４に固定されたピストンヘッド３２ａと第１ピストンロッド３２ｂとがダイヤフラム３４に追随してダイヤフラム３４側へ移動し、弁体３３が弁座３１ａに接近する。この結果、弁座３１ａと弁体３３との間の環状隙間Ｓが狭まり、前記環状隙間Ｓを水道水が通過する際の圧力損失が増加する。この結果、２次圧が下降する。従って、減圧弁１においては、２次圧は所定値以下に維持される。
【００１０】
給湯器の吐水装置が閉鎖されて、給湯機の配管内の水と湯の流れが止まり、ひいては減圧弁１内の水道水の流れが止まると、１次圧（１次側通路４内の水圧）と２次圧（２次側通路５内の水圧）との差圧が零になり、ピストンヘッド３２ａ、弁体３３に印加される水圧による開弁方向の付勢力と閉弁方向の付勢力とはバランスする。この時、ダイヤフラム３４に印加される水圧による閉弁方向の付勢力がコイルバネ３７の開弁方向の付勢力よりも大きくなり、弁体３３が弁座３１ａに当接して環状隙間Ｓを閉鎖する。この結果、減圧弁１は閉弁する。
【００１１】
コイルバネ３７両端の線材の巻初めと巻終わりの部位に段差が存在するために、ピストン３２を中心軸線Ｙに直交する軸線回りに回動させ、ピストン３２の中心軸線Ｙをシリンダ３１の中心軸線Ｘに対して傾斜させて弁体３３を弁座３１ａに片当たりさせるモーメントがコイルバネ３７からピストン３２に印加されるが、ピストンヘッド３２ａがシリンダ３１によってシリンダ３１の中心軸線Ｘの延在方向に案内されると共に、第２ピストンロッド３２ｃのコイルバネを収容する筒部３２ｃ１のピストンヘッド３２ａから離隔する端部３２ｃ２が、バネケースの筒部３８ａの内周側面によってシリンダ３１の中心軸線Ｘの延在方向に案内されるので、ピストン３２の中心軸線Ｙはシリンダ３１の中心軸線Ｘに対して傾斜せず、弁体３３は弁座３１ａに片当たりせず、減圧弁１の止水機能は損なわれない。
第２ピストンロッド３２ｃのピストンヘッド３２ａから離隔する端部３２ｃ２をシリンダ３１の中心軸線Ｘの延在方向に案内するバネケースの筒部３８ａはバネケース３８内に在るので、減圧弁１は大型化しない。バネケースの筒部３８ａの配設は弁流入口と弁流出口との相対位置関係による制約を受けない。
【００１２】
バネケースの筒部３８ａの内周側面を第２ピストンロッドの筒部のピストンヘッドから離隔する端部３２ｃ２の外周側面に摺接させるのに代えて、図２に示すように、バネケース３８のダイヤフラム３４から離隔する端部近傍内周側面にシリンダ３１の中心軸線Ｘと平行に延在する３本以上の案内リブ３８ｂを形成し、案内リブ３８ｂを第２ピストンロッドの筒部３２ｃ１のピストンヘッド３２ａから離隔する端部３２ｃ２の外周側面に摺接させても良く、或いは、図３に示すように、筒部３２ｃ１に代えてピストンヘッド３２ａから離隔する方向へ延びる中心軸部３２ｃ３を第２ピストンロッド３２ｃに形成し、バネケース３８のダイヤフラム３４から離隔する端部に螺合すると共にコイルバネ３７の他端に係合する調整ネジを３９を配設し、調整ネジ３９に形成したシリンダ３１と同軸に延在する貫通穴３９ａを第２ピストンロッド３２ｃの中心軸部３２ｃ３のピストンヘッド３２ａから離隔する端部に相対摺動可能に外嵌合させても良く、或いは、図４に示すように、筒部３２ｃ１に代えてコイルバネ３７の内側に筒部３２ｃ４を形成し、バネケース３８のダイヤフラム３４から離隔する端部に螺合すると共にコイルバネ３７の他端に係合する調整ネジを４０を配設し、調整ネジ４０に形成したシリンダ３１と同軸に延在する凸部４０ａを第２ピストンロッド３２ｃの筒部３２ｃ４のピストンヘッド３２ａから離隔する端部に相対摺動可能に内嵌合させても良い。
図１の実施例では第２ピストンロッド３２ｃは筒部３２ｃ１を含めて一体物としたが、図５に示すように、第２ピストンロッド３２ｃの筒部３２ｃ１を第２ピストンロッド３２ｃの他部と別体とし、両者を連結しても良い。
上記実施例では弁流出口２ｂを弁流入口２ａと同一直線上に配設したが、弁流出口を弁流入口に対して直交して配設した減圧弁にも本発明は適用可能である。
【産業上の利用可能性】
【００１３】
本発明は、減圧弁に広く利用可能である。
【符号の説明】
【００１４】
１  減圧弁
２  ボディ
２ａ  弁流入口
２ｂ  弁流出口
３  弁機構
４  １次側通路
５  ２次側通路
３２ｃ  第２ピストンロッド
３２ｃ１  筒部
３２ｃ２  筒部の端部
３２ｃ３  中心軸部
３２ｃ４  筒部
３８  バネケース
３８ａ  筒部
３８ｂ  案内リブ
３９、４０  調整ネジ
３９ａ  貫通穴
４０ａ  凸部
【図１】
2015141558.tif 000003
【図２】
2015141558.tif 000004
【図３】
2015141558.tif 000005
【図４】
2015141558.tif 000006
【図５】
2015141558.tif 000007